(57)【要約】      （修正有）【課題】断髪される人が如何なる姿勢をとっていても、その人の頭髪を無理なく容易に断髪することができるバリカンを提供する。【解決手段】バリカン１は、先端部１０と把持部２０とを具備する。先端部と把持部とは、接続部３０を介して、回動可能に連結される。先端部は、可動刃と固定刃とからなる刃部４０と、可動刃を直線状に往復動させる駆動部５０と、を備える。先端部は所定の基準位置から一方向へのみ少なくとも９０度回動する。先端部と把持部との間に、弾性部材６０を介在させてもよい。【選択図】  図１
0003211242.tif 000002
【実用新案登録請求の範囲】
【請求項１】
先端部と把持部とから構成されたバリカンであって、
前記先端部と前記把持部とは、接続部を介して、回動可能に連結され、
前記先端部は、可動刃とこの可動刃を直線状に往復動させる駆動部とを備えることを特徴とするバリカン。
【請求項２】
先端部と把持部とから構成されたバリカンであって、
前記先端部と前記把持部とは、接続部を介して、回動可能に連結され、
前記先端部は、所定の位置から少なくとも９０度回動することを特徴とするバリカン。
【請求項３】
前記先端部は、所定の位置から一方向へのみ回動することを特徴とする請求項１又は２に記載のバリカン。
【請求項４】
前記先端部と前記把持部との間には、弾性部材が介在し、
前記先端部は、外力を受けると前記弾性部材から生じる弾性力を伴って所定の位置から回動し、かつ前記外力から開放されると前記弾性力によって前記所定の位置に戻ることを特徴とする請求項１又は２又は３に記載のバリカン。
【考案の詳細な説明】
【技術分野】
【０００１】
本考案は、バリカン、より詳しくは、断髪される人が如何なる姿勢をとっていても、容易にその人の頭髪を断髪することができるバリカンに関するものである。
【背景技術】
【０００２】
人の頭髪、特にえりあし（うなじの生え際から数センチ上の部分まで）や耳のまわり（以下同様）、を断髪する際に用いられるバリカンは、直線状に往復動する可動刃と固定刃とが摺動し、この２つの刃の間に頭髪を挟み込むことでこれを断髪する構造を有する。当該構造のバリカンを用いて、無理なく効率的に人の頭髪を断髪するためには、頭髪が伸長する方向と可動刃が往復動する面とが垂直となるようにバリカンをあてることが望ましいとされており、したがって、頭髪が頭部表面から略垂直に伸びていることを考慮すれば、人の頭部表面と可動刃の往復動面とが常に平行となる状態を維持しながらバリカンを使用するのが理想的といえる（以下、このような状態での使用を、理想的な使用状態という）。
【０００３】
ところで、従来のバリカンは、座っている人の頭髪をカットするという一般的な作業態様に合わせて設計されている。このため、従来のバリカンにあっては、可動刃の往復動面と使用者が把持する部分（以下、把持部という）との位置関係（例えば、側面視における可動刃の往復動面と把持部の長手方向とがなす角度）が、前記一般的な作業態様に合わせて決定され、かつ作業の安定性を重視して、前記位置関係が固定された仕様となっている。
【０００４】
しかし、介護を要する人等を整髪する場合には、横たわっている人の頭髪を断髪するといった特殊な作業態様が想定される。このような特殊な作業態様のもと、従来のバリカンを用いて理想的な使用状態で作業をしようとすると、使用者の手が断髪される人の背中や肩にあたるなどの不都合が生じる。このため、前記特殊な作業態様のもとで従来のバリカンを用いると、理想的な使用状態で断髪作業を進めることができず、作業効率が大幅に低下するといった問題が発生する。
【０００５】
ここで、バリカンの使い勝手を向上させるための従来技術として、例えば、頭髪の刈り高さ調整の簡易化、容易化を目的に、固定刃上部にアタッチメントを付加した下記特許文献１ないし３に記載の発明又は考案が提案されている。
【０００６】
また、頭髪面に押し当てる角度の違いによって切断刃内に入る毛髪量が著しく増減することで作業効率が左右されるといった問題を改善することを目的に、切断刃部の上部にアタッチメントを付加した下記特許文献４に記載の発明が提案されている。
【０００７】
さらに、バリカンに類似する商品である電動式かみそりに関して、可動刃および固定刃からなるトリマーユニットや刃ユニットが所定の方向へ回動するといった構造を持つ下記特許文献５および６に記載の発明が提案されている。
【先行技術文献】
【特許文献】
【０００８】
【特許文献１】特開昭６２−２４６３９７号公報
【特許文献２】特開昭５４−０３１３５１号公報
【特許文献３】実開昭６０−１５１４８７号公報
【特許文献４】特開昭５９−００００９０号公報
【特許文献５】特開２０１０-２２４３７号公報
【特許文献６】特開２０１６-３６３５８号公報
【考案の概要】
【考案が解決しようとする課題】
【０００９】
前述したように、前記特殊な作業態様のもと従来のバリカンを用いて断髪作業をした場合、理想的な状態で作業を進めることができないことで作業効率が大幅に低下するといった問題が生じる。また、後述するように、前記特許文献１ないし６に記載の発明・考案によっても、従来のバリカンが抱える前記問題を解決するには至っていないのが現状である。
【００１０】
すなわち、バリカンの使い勝手を向上させた前記特許文献１に記載のバリカンにおいては、可動刃および固定刃を内蔵するヘッド部と使用者が把持する本体部（前記把持部に相当）とが、前記一般的な作業態様に合わせて直線状に配置され、かつ前記ヘッド部が前記本体部に対して回動することなく固定された構造となっている。このため、前記特殊な作業態様のもとで特許文献１に記載のバリカンを用いても、従来のバリカンと同様に、使用者の手が断髪される人の背中や肩にあたるなどの不都合が生じ、前記理想的な使用状態で作業を進めることができない。したがって、前記特許文献１に記載のバリカンにおいては、従来のバリカンが抱える前記問題が未解決のまま残存することになる。
【００１１】
また、バリカンの使い勝手を向上させた前記特許文献２および４に記載の電気バリカンにおいては、バリカン刃/切断刃と使用者が把持するバリカン本体（前記把持部に相当）とが、前記一般的な作業態様に合わせて略直線状に配設され、また、バリカン本体に対して回動可能なアタッチメントがバリカン刃/切断刃の上部に設けられているものの、バリカン刃/切断刃の往復動面は、バリカン本体に対して回動することなく固定された構造となっている。このため、前記特殊な作業態様のもとで前記特許文献２および４に記載の電気バリカンを用いても、従来のバリカンと同様に、使用者の手が断髪される人の背中や肩にあたるなどの不都合が生じ、前記理想的な使用状態で作業を進めることができない。したがって、前記特許文献２および４に記載の電気バリカンにおいても、従来のバリカンが抱える前記問題が未解決のまま残存することになる。
【００１２】
また、バリカンの使い勝手を向上させた前記特許文献３に記載の電気バリカンにおいては、モータを内蔵する握り部ケース１a（前記把持部に相当）と前記モータによって駆動される可動刃および固定刃を内蔵する頭部ケース１bとが、前記一般的な作業態様に合わせて略直線状に配設されている一方、使用者が把持する握り部ケース１aと頭部ケース１bとが支軸５を介して回動可能に接続された構造であるため、可動刃の往復動面は、握り部に対して回動する構造となっている。しかし、可動刃とこれを駆動するモータとが、相対回転する２つの部位（握り部ケース１aおよび頭部ケース１b）に分かれて設けられているため、特許文献３に記載の電気バリカンにあっては、その回動範囲を大きくとる（例えば９０度の回動範囲とする）ことが構造的に困難である。このため、前記特殊な作業態様のもとで前記特許文献３に記載の電気バリカンを用いても、使用者の手が断髪される人の背中や肩にあたるなどの不都合を完全に回避することはできず、前記理想的な使用状態で作業を進めることは難しい。したがって、前記特許文献３に記載の電気バリカンにおいても、従来のバリカンが抱える前記問題がなおも残存することになる。
【００１３】
また、前記特許文献５に記載の電気かみそりにおいては、可動刃および固定刃からなるトリマーユニット４と使用者が把持する本体部（前記把持部に相当）とが略直線状に配設されている一方、トリマーユニット４は、本体部に固定されたホルダー５１に対して揺動中心軸６５まわりに回動可能な構造を有している。しかし、可動刃を駆動するモータ１４が、可動刃と相対回転する本体部に内蔵された構造であるため、前記特許文献３に記載の電気バリカンと同様に、その回動範囲を大きくとる（例えば９０度の回動範囲とする）ことは困難である。このため、当該構造をバリカンに適用し、これを用いて横たわっている人の頭髪を断髪したとしても、その作業性は、従来のバリカンと比べて十分に改善されることはない。
【００１４】
また、前記特許文献６に記載の往復式電気かみそりにおいては、可動刃および固定刃からなる刃ユニット４０が設けられたヘッド部２０と使用者が把持する本体１２（前記把持部に相当）とが略直線状に配設されている一方、ヘッド部２０は、本体１２に対して前後方向に僅かに揺動する構造を具備している。しかし、刃ユニット４０を駆動するモータが、刃ユニット４０と相対回転する本体１２に設けられた構造であるため、前記特許文献３および５に記載の発明と同様、構造的に回動範囲を大きくとることが困難である。このため、当該構造をバリカンに適用し、これを用いて横たわっている人の頭部を整髪したとしても、その作業性は、従来のバリカンと比べて十分に改善されることはない。
【００１５】
このように、前記特許文献１ないし６に記載の発明・考案によっても、従来のバリカンが抱える前記問題を解決するまでには至っていない。本考案は、このような現状に鑑み創作されたものであり、断髪される人が如何なる姿勢をとっていても、容易に無理なく断髪作業を進めることのできるバリカンを提供するものである。
【課題を解決するための手段】
【００１６】
本考案は、先端部と把持部とから構成されたバリカンであって、前記先端部と前記把持部とは、接続部を介して、回動可能に連結され、前記先端部は、可動刃とこの可動刃を直線状に往復動させる駆動部とを備えることを特徴している。なお、前記回動の中心軸と前記可動刃の往復動方向とは平行であることが好ましい。
ここで前記駆動部は、少なくとも可動刃を往復動させる駆動源となるモータ等の動力発生部を有する。
本考案によれば、可動刃を備える先端部は、把持部に対して回動可能であり、かつ可動刃とこの可動刃を往復動させる駆動部とが共に先端部に設けられていることから、前記先端部と前記把持部との接続に関して特殊な構造を要せずとも、前記回動の範囲を大きく（例えば９０度以上）とることができる。これによって、断髪される人が如何なる姿勢をとっていても、容易にその人の頭部表面と可動刃の往復動面とを平行な状態に維持することが可能であって、無理なく効率的に断髪作業を進めることができる。
【００１７】
また、本考案は、先端部と把持部とから構成されたバリカンであって、前記先端部と前記把持部とは、接続部を介して、回動可能に連結され、前記先端部は、所定の位置から少なくとも９０度（即ち、９０度以上）回動することを特徴としている。これによって、断髪される人が如何なる姿勢をとっていても、容易にその人の頭部表面と可動刃の往復動面とを平行な状態に維持することが可能であって、無理なく効率的に断髪作業を進めることができる。
９０度以上としたのは、少なくとも９０度回動して、把持部に対して先端部を直角方向に向けることができれば、使用者が、断髪される横臥した人の頭部側に位置していても、頭部のえりあし（ネープ）部分を、無理なくカットできる最低限の角度だからである。もちろん、９０度よりも大きい角度とすれば、さらに容易にカットすることができる。
【００１８】
また、本考案は、前記特徴に加えて、前記先端部が、前記所定の位置から一方向へのみ回動することを特徴としている。
【００１９】
さらに、本考案は、前記特徴に加えて、前記先端部と前記把持部との間に弾性部材が介在し、前記先端部が外力を受けると前記弾性部材から生じる弾性力を伴って所定の位置から回動し、かつ前記外力から開放されると前記弾性力によって前記所定の位置に戻ることを特徴としている。
【考案の効果】
【００２０】
本考案に係るバリカンによれば、前記一般的な作業態様だけでなく前記特殊な作業態様においても、使用者が作業し易い位置にいながら、容易に断髪作業を進めることが可能になる。即ち、座っている人であっても横たわっている人であっても、その姿勢に関係なく、容易に無理なく頭髪を断髪することができる。
【図面の簡単な説明】
【００２１】
【図１】バリカン１の右側面図である。
【図２】バリカン１の平面図である。
【図３】バリカン１の先端部を、所定の位置から９０度回動させた位置における右側面図である。
【図４】バリカン１の先端部を、所定の位置から１３５度回動させた位置における右側面図である。
【図５】バリカン１の使用態様を示した図である。
【図６】バリカン１の他の実施形態における右側面図である。
【図７】弾性部材６０を設置しないバリカン１の右側面図である。
【図８】弾性部材６０を設置しないバリカン１の平面図である。
【図９】他の切替機構１００を設けたバリカン１の右側面図である。
【考案を実施するための形態】
【００２２】
図１ないし５に基づいて、本考案に係るバリカンの一実施形態を説明する。なお、説明文中の前後、左右および上下は、本考案に係るバリカンの右側面図が図１によって示され、本考案に係るバリカンの平面図が図２によって示されることと整合するように定義されるものとする。
【００２３】
本実施形態に係るバリカン１は、えりあしや耳のまわりをカット（断髪）するのに用いられるバリカンであり、図１および図２に示されるように、先端部１０と把持部２０とから構成されており、先端部１０と把持部２０とは、接続部３０によって、図１で示される所定の位置を基準に、互いが回動可能に連結している。ここで、図１で示される所定の位置は、定常時における先端部１０と把持部２０との位置関係を表すとともに、先端部１０が把持部２０に対して回動を開始する位置を表している（以下、「基準位置」という）。
【００２４】
先端部１０は、前端部に可動刃４１と固定刃４２とから構成された刃部４０を備え、内部に可動刃を左右方向へ直線状に往復動させる駆動部５０を備える。
【００２５】
刃部４０を構成する可動刃４１と固定刃４２とは、一般的なバリカンに見られるように、互いが摺動し、櫛歯状の可動刃４１と櫛歯状の固定刃４２との櫛歯の間に頭髪を挟み込むことでこれを断髪する仕組みとなっている。
【００２６】
可動刃４１を直線状に往復動させる駆動部５０は、一般的なバリカンに見られるように、例えばモータ（図示せず）と、このモータの回転運動を往復直線運動に変換する運動変換部（図示せず）と、この運動変換部と可動刃４１とを接続する連接部（図示せず）と、電装部品（図示せず）等とから構成されている。即ち、駆動部５０は、可動刃４１を駆動させるモータ等の動力発生部を有するものである。
【００２７】
把持部２０には、例えば駆動部５０の電源として用いられるバッテリー（図示せず）が内部に収納されており、また、駆動部５０の動作態様を切り替えるスイッチを含む電装部品（図示せず）が設けられている。
【００２８】
接続部３０は、例えば先端部１０に設けられた貫通孔３１と、把持部２０に設けられた軸部３２とから構成され、貫通孔３１に軸部３２が挿入されることで、先端部１０が把持部２０に対して回動自在に軸支される構造となっている。また、接続部３０には、スリップリング等の相対回転する２つの部位間を通電する部品が設けられており、当該部品を介して、把持部２０に収納されたバッテリーからの電力およびスイッチからの信号等が、先端部１０に設けられた駆動部５０に伝達される仕組みとなっている。
【００２９】
先端部１０と把持部２０との間には、図１および２に示すように、弾性部材６０ａおよび６０ｂとから構成された一対の弾性部材６０が設けられている。この一対の弾性部材６０（弾性部材６０ａおよび６０ｂ）のそれぞれは、例えばねじりコイルばねからなり、一端が先端部１０に他端が把持部２０に連結し、コイルの中央空隙部分に接続部３０を構成する軸部３２が挿入されるように配設されている。
【００３０】
この一対の弾性部材６０（弾性部材６０ａおよび６０ｂ）は、先端部１０と把持部２０とが前記基準位置にあるとき、先端部１０を把持部２０に対して下方に回動（図１において反時計回りに回動）させる向きの弾性力（以下、反時計回りの弾性力という）が生じるように設置されている。
【００３１】
先端部１０と把持部２０との間には、図１に示すように、相互の回動を規制する部位として回動規制部７０が設けられている。この回動規制部７０は、例えば先端部１０の後方下部に設けられた凸部７１と、把持部２０の中央下部に設けられた凹部７２とから構成され、先端部１０と把持部２０とが基準位置にあるとき、凸部７１の後方端面（図１において右側に位置する端面）と凹部７２の前方端面（図１において左側に位置する端面）とが係合するように設計されている。これにより、先端部１０が、把持部２０に対して基準位置よりも下方に回動（図１において反時計回りに回動）することを規制している。
【００３２】
前記構成からなる本考案に係るバリカン１においては、先端部１０の下面１１に上向きの力が加わると、先端部１０は、把持部２０に対して基準位置から上方に向けて回動（図１において時計回りに回動）する。本実施形態においては、基準位置から１３５度まで回動可能な程度の回動空間８０が、先端部１０と把持部２０との間に設けられている。なお、回動範囲は任意に設定してよく、これに応じて回動空間８０の大きさ・形状といった形態も適宜定めることができる。
【００３３】
使用者（断髪作業をする者）は、断髪される人の頭部表面に、本考案に係るバリカン１の下面１１をあてながら（または接近させながら）、前記頭部表面に沿って断髪作業を進めていく。そして通常は、即ち断髪される人が通常の座った状態で断髪を行う場合は、前記先端部１０が前記基準位置にある状態のまま、バリカン１による通常の断髪を行う。
【００３４】
一方、例えば、図５に示すように、ベッドに横臥している人に対して、その頭部側に立って断髪を行うような場合、バリカン１の先端部１０は、例えば図３および図４に示すように、把持部２０に対し、接続部３０の中心Ｐ周りに１３５度までの範囲で回動可能なので、作業者は、自らの手で把持し易い位置に把持部２０を配置しながら、先端部１０を、断髪される人の頭部表面と可動刃の往復動面とが略平行となる位置に適宜回動して断髪作業を進めていくことが可能になる。即ち、接続部３０の中心Ｐ周りに１３５度程度回動可能な本考案に係るバリカン１によれば、図５に示すように、使用者は、断髪される人の頭上に立ちながら一般的な作業態様と全く異なる体勢で断髪作業を無理なく効率的に進めていくことが可能になる。
【００３５】
このように、本考案に係るバリカン１によれば、断髪される人が如何なる姿勢をとっていても、使用者が作業し易い位置に把持部２０を配置しつつ、前記理想的な使用状態、すなわち断髪される人の頭部表面と可動刃４１の往復動面とが略平行となる状態を維持しながらバリカン１の先端部１０を人の頭部にあてて断髪作業をすることが可能になる。
【００３６】
さらに、本考案に係るバリカン１によれば、先端部１０は上下方向のみに回動し、左右方向へは回動しないので、不要な揺動によって断髪作業の安定性が損なわれることもない。
【００３７】
前記バリカン１は、本考案の一実施形態にすぎず、実用登録新案請求の範囲内で様々な変更が可能である。
【００３８】
例えば、一般的な作業態様で使用することを想定して、前記回動を抑止するための機構を追加しても良い。当該機構の一実施形態として、例えば、前後方向（図１中の矢印方向）にスライド可能な回動抑止片９０を、回動規制部７０の下部に設ける。前記回動を抑止したいときには、先端部１０の後方下部に設けられた凸部７１の下面と係合するよう前方に向けて回動抑止片９０をスライドさせる。前記回動が必要なときは、凸部７１の下面との係合を解除するよう後方に向けて回動抑止片９０をスライドさせればよい。
【００３９】
回動抑止片９０は、例えば薄板状を呈した樹脂部材であって、把持部２０の下面に設けられた前後方向に延在する溝部の中をスライド可能に配設されている。前記溝部は、例えば左右側面にレール部が設けられており、このレール部によって回動抑止片９０を脱落させることなくスライド可能に保持している。
【００４０】
また、先端部１０の回動開始位置を、図１で示される位置とは異なる位置に切替えることのできる機構を追加してもよい。当該機構の一実施形態である切替機構１００を、図６に示す。この切替機構１００は、先端部１０の後部周縁に突設された複数の凸部１０１（１０１ａ〜ｄ）と、把持部２０の下部に設けられた前後方向にスライド可能なスライド片１０２とから構成され、複数の凸部１０１が具備する端面のいずれか１つとスライド片１０２の前端面とが、定常時には互いが係合することで先端部２０の反時計回りの回動を規制し、切替え時にはこの係合が解除される仕組みとなっている。以下、当該機構の具体的な構成について説明する。
【００４１】
凸部１０１は、例えば４つのブレード状の凸部１０１ａないし１０１ｄから構成されている。これら凸部１０１ａないし１０１ｄは、回動中心Ｐの周りに４５度の等間隔に、かつ回動中心Ｐから等しい距離に配設され、各々左右方向に延在する前記端面有している。なお、凸部１０１の数は４つに限定される訳ではなく、かつ間隔も適宜決定することができる。
【００４２】
スライド片１０２は、例えば略Ｌ字型を呈した樹脂素材からなり、把持部２０の中央下部にあって、その前端が先端部１０の後部周縁と対向する位置に配設されている。
【００４３】
また、スライド片１０２は、把持部２０下面に設けられた前後方向へ延在する溝部（図示せず）の中をスライドする構造となっている。この溝部は、例えば左右側面にレール部が設けられており、このレール部によってスライド片１０２を脱落させることなくスライド可能に保持している。また、上面には、前記定常時において、略Ｌ字型を呈したスライド片１０２の上部と係合する段差部が設けられている。
【００４４】
また、スライド片１０２の後端部と溝部１０３の端面との間には、弾性部材１０４が介在し、これにより、スライド片１０２には、常に前方向への弾性力が印加され、かつ前記定常時においては、前記段差部によって所定の位置より前方へ移動しないように規制される仕組みとなっている。
【００４５】
弾性部材１０４として、コイルバネや板バネなどが好適であるが、その他の部材であってもよい。弾性部材１０４に起因した前方向への弾性力は、凸部１０１を介してスライド片１０２に印加される一対の弾性部材６０に起因した後方向への弾性力よりも常に大きくなるように設定されている。このため、スライド片１０２の前端面は、前記定常時において、常に凸部１０１の端面を前方へと押圧し、先端部２０が反時計回りに回動することを規制している。
【００４６】
使用者は、先端部１０の回動開始位置である前記基準位置を切替えるときは、まず指でスライド片１０２を後方へスライドさせることで、凸部１０１の端面とスライド片１０２の前端面との係合を解除する。その上でバリカン１の先端部１０を、例えば図６で示すように、図１で示される所定の位置から時計回りに９０度の位置まで回動させる。その後、スライド片１０２から指を離すことで、凸部１０１の端面とスライド片１０２の前端面とを係合する状態に戻す。
【００４７】
切替機構１００を設けることで、様々な作業態様に適合したバリカン１の初期状態（回動開始位置）を設定できる。これにより、断髪される人の頭部に押し付けて先端部１００を回動させる頻度が抑えられ、断髪する側もされる側も負担の少ないバリカンを提供することができる。
【００４８】
また本考案の他の実施形態として、把持部２０に対して先端部１０を所望の角度（１又は複数の角度位置）に固定する角度切替機構を設ける構成としても良い。このように構成すれば、バリカン１を操作する人は、自ら先端部１０を所望の角度に設定（固定）して、その角度のまま揺動しない状態で、断髪作業を行うことができる。この場合、前記弾性部材６０は設置しなくても良い。図７，図８は、弾性部材６０を設置しないバリカン１を示す図であり、図７はその右側面図、図８はその平面図である。両図に示すように、このバリカン１のように、弾性部材６０を省略し、図示しない角度切替機構によって、１又は複数の角度位置で固定できるように構成しても良い。図９は、把持部２０に対して先端部１０を所定の角度位置に固定できる切替機構（角度切替機構）１００を示す図である。この例の切替機構１００において前記図６に示す切替機構１００と相違する点は、スライド片１０２の先端の形状を、凸部１０１ａ〜ｄを左右何れの方向にも回動させない、挟み込む形状とした点である。このように構成することで、把持部２０に対して先端部１０を所定の角度位置に確実に固定することができる。
【００４９】
以上本考案の実施形態を説明したが、本考案は上記実施形態に限定されるものではなく、実用新案登録請求の範囲、及び明細書と図面に記載された技術的思想の範囲内において種々の変形が可能である。なお直接明細書及び図面に記載がない何れの形状や構造であっても、本願考案の作用・効果を奏する以上、本願考案の技術的思想の範囲内である。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本考案の実施形態は上記記載及び各図を組み合わせた一つの実施形態に限定されるものではない。
【符号の説明】
【００５０】
１      バリカン
１０    先端部
２０    把持部
３０    接続部
４０    刃部
４１    可動刃
４２    固定刃
５０    駆動部
６０    弾性部材
７０    回動規制部
８０    回動空間
９０    回動抑止片
１００  切替機構
【図１】
0003211242.tif 000003
【図２】
0003211242.tif 000004
【図３】
0003211242.tif 000005
【図４】
0003211242.tif 000006
【図５】
0003211242.tif 000007
【図６】
0003211242.tif 000008
【図７】
0003211242.tif 000009
【図８】
0003211242.tif 000010
【図９】
0003211242.tif 000011